(57)【要約】【課題】従来照明用として使用している蛍光ランプは、ガラス管内に放電用ガスを封入して、ガラス管の内壁面に蛍光物質塗ったガラス管の為、蛍光物質を塗った表面が小さく、全紫外線が蛍光物質を塗った表面に照射できない為効率が悪かった。また従来のガラス管の構造では管内の電子密度が高くできない為効率が悪い。【解決手段】ガラス管を外側管８と管内中心にガラス管９を二重に設け、外側ガラス管の管内に放電用ガスを封入して、このガスと接触する表面、外側ガラス管は、内壁面に蛍光物質１０を塗り、管内に設けたガラス管は、外壁面に蛍光物質１１を塗ることにより、放電ガスと接触している蛍光物質表面を大きくすることができ、多方向からの紫外線６の照射を受けやすくなり発光が高められる。また、ガラス管の管内中心にガラス管を設けることにより、管内が狭くなり、管内電子５は管の外周部分に寄り密度が高くなり管内の水銀原子４と衝突する為、密度が高くなった分紫外線６の量が増え、この紫外線が蛍光物質を塗った表面に照射する為、発光を高めることができ、消費電力も節約することができる。【選択図】図１
2006066356.tif 000002
【特許請求の範囲】
【請求項１】
ガラス管を外側ガラス管と管内中央部にもガラス管を二重に設け、外側のガラス管は、管の内壁に蛍光物質を塗り、管内に設けたガラス管は、管の外壁面に蛍光物質を塗り蛍光物質を塗った表面積を大きくしたことを特徴とする蛍光管。
【請求項２】
前記ガラス管内の中央部にガラス管を設けることにより、管内が狭くなり、管内の電子が高密度になることを特徴とする請求項１記載の蛍光管。
【発明の詳細な説明】
【技術分野】
【０００１】  この発明は、照明に用いる蛍光管の構造に関する。
【背景技術】
【０００２】  従来の照明に用いている蛍光管は、図２に示すようにガラス管の内壁面に蛍光物質を塗った、ガラス管１、蛍光物質２、電極３、ガラス管内に充てんされている水銀原子４、電子５、紫外線６、可視光７により構成されたものである。
【発明の開示】
【発明が解決しようとする課題】
【０００３】しかしながら、以上の技術によれば構造上ガラス管の内壁面だけに蛍光物質を塗りここに紫外線を当て発光させていた。したがってこの構造では、蛍光物質を塗った面積が小さい為、発光効率が悪い。  そこで、この発明は、ガラス管を二重管にして、外側ガラス管は管の内壁面に蛍光物質を塗り、さらに管内の中央部にもガラス管を設け、このガラス管の外壁面にも蛍光物質を塗り、蛍光物質を塗った表面積を大きくして、ここに紫外線が多く当てる構造にすることにより発光効率を高める。またガラス管内にガラス管を設けることにより、管内が狭くなり電子密度が高くなり、ガラス管内の水銀原子との衝突が多く起き発光効率を高くすることができる蛍光管を提供することを課題とする。
【課題を解決するための手段】
【０００４】  以上の課題を解決するために、第一発明は、ガラス管を外側ガラス管と管内の中央部にもガラス管を二重に設け、外側管は管の内壁面に蛍光物質を塗り、管内中央部に設けたガラス管は、ガラス管の外壁面に蛍光物質を塗り蛍光物質を塗った表面積を大きくした蛍光管である。
また、第二発明は、ガラス管の管内にガラス管を設けることにより、管内を狭くして管内の電子を高密度となるようにしたことを特徴とする蛍光管である。
【発明の効果】
【０００５】  第一発明、または第二発明によれば、ガラス管を外側管と、さらに管内の中央部にガラス管を設け、それぞれの管に蛍光物質を塗ることにより蛍光物質を塗った表面積が大きくなり、ガラス管内で発生した紫外線を多く当てることができ、発光を高める。またガラス管内中央部にガラス管を設けることにより、ガラス管内が狭くなり、ガラス管内の電子は高密度となり管内の水銀原子との衝突が多く起き、これにより紫外線が発生して、ガラス管に塗った蛍光物質に当る為、発光が高まり消費電力を節約できる。
【発明を実施するための最良の形態】
【０００６】  この発明の一実施形態を、図１に示す。
蛍光管は、外側ガラス管８と、ガラス管内に設けた内部ガラス管９、管内のガラス管の蛍光物質１１、外側ガラス管の蛍光物質１０、管内に充てんされた水銀原子４、紫外線６、発光７、電子５、【０００７】「実施形態の効果」
この実施形態によれば、この蛍光管は外側ガラス管の内壁面に蛍光物質を塗り、さらにガラス管内に設けたガラス管の、外壁面に蛍光物質を塗ることにより、蛍光物質を塗った表面積が大きくなり蛍光物質に紫外線が多く当る為、発光が高まる。さらに、外側ガラス管の管内中央部にガラス管を設けることにより管内が狭くなり電子の密度が高くなり、水銀原子との衝突が多く起き発光が高まり、消費電力を節約をすることができる。
【図面の簡単な説明】
【０００８】
【図１】この発明の一実施形態を示す斜視図である。
【図２】従来技術を示す斜視図である。
【符号の説明】
【０００９】    １  ガラス管    ２  蛍光物質    ３  電極    ４アルゴンガス内の水銀原子
５  電子    ６  紫外線    ７  可視光
【図１】
2006066356.tif 000003
【図２】
2006066356.tif 000004
【手続補正書】
【提出日】平成16年11月19日(2004.11.19)
【手続補正１】
【補正対象書類名】特許請求の範囲
【補正対象項目名】全文
【補正方法】変更
【補正の内容】
【特許請求の範囲】
【請求項１】
外側ガラス管と管内中心に内部ガラス管を二重に設け、外側ガラス管の管内に放電用のガスを封入して、この封入したガスと接触する両ガラス管の表面に蛍光物質を塗ることにより、蛍光物質を塗った表面を大きくして、管内で発生した紫外線を、この両ガラス管の蛍光物質表面で取り囲み、多方向からの紫外線照射を受けやすい構造にすることにより発光を高めることを特徴とする蛍光ランプ。
【請求項２】
前記ガラス管の管内中心に内部ガラス管を設けることにより、ガラス管内の放電用ガスを封入した内部空間は狭くなる。この為管内の電子は密度が高くなり、管内の外周部に寄り、管内に封入してある放電用ガスの水銀原子と衝突する為、紫外線の量が増し発光を高めることができることを特徴とする請求項１記載の蛍光ランプ。
【手続補正２】
【補正対象書類名】明細書
【補正対象項目名】全文
【補正方法】変更
【補正の内容】
【発明の詳細な説明】
【技術分野】
【０００１】  この発明は、照明に用いる蛍光ランプの構造に関する。
【背景技術】
【０００２】  従来の照明に用いている蛍光管は、図２に示すようにガラス管の内壁面に蛍光物質を塗った、ガラス管１、蛍光物質２、電極３、ガラス管内に充てんされている水銀原子４、電子５、紫外線６、可視光７により構成されたものである。
【発明の開示】
【発明が解決しようとする課題】
【０００３】しかしながら、以上の技術によれば構造上ガラス管の管内に放電用ガスを封入してガラス管の内壁面に蛍光物質を塗りここに紫外線を当て発光させていた。したがってこの構造では、蛍光物質を塗った面積が小さい為、発光効率が悪かった。  そこで、この発明は、ガラス管を二重管にして、外側ガラス管の管内に放電用のガスを封入して、このガスと接触する外側ガラス管の管の内壁面及び管内の中心に設けたガラス管の外壁面にも蛍光物質を塗ることにより、蛍光物質を塗った表面を大きくして、紫外線の照射を多く受ける構造にするとともに、ガラス管内を狭くして、電子密度を高くして、管内の水銀原子と衝突させ紫外線の量を増やすことことにより発光を高めることができる蛍光ランプを提供することを課題とする。
【課題を解決するための手段】
【０００４】  以上の課題を解決するために、第一発明は、ガラス管を外側ガラス管と管内の中心にもガラス管を二重に設け、外側ガラス管の管内に放電させる為の放電用ガスを封入して、外側管は管の内壁面に蛍光物質を塗り、管内中心に設けたガラス管は、ガラス管の外壁面に蛍光物質を塗り、この両ガラス管の蛍光物質を塗った表面を大きくして、紫外線を多方向から照射を受ける構造にすることにより発光を高めることを特徴とする蛍光ランプである。
また、第二発明は、外側ガラス管の管内にガラス管を設けることにより、管内は狭くなり電子密度は高くなる、この高くなった電子が管内中心に設けたガラス管により、管の外周部分に寄り、管内に封入した放電用ガスと衝突して紫外線の量を増やすことを特徴とする蛍光ランプである。
【発明の効果】
【０００５】  第一発明、または第二発明によれば、ガラス管を外側管と、さらに管内の中心にガラス管を設け、外側管の管内に放電用のガスを封入して、このガスと接触する両ガラス管の表面に蛍光物質を塗ることにより、蛍光物質を塗った表面を大きくして、ここに、ガラス管内で発生した紫外線を照射することにより、発光が高められる。またガラス管内中心にガラス管を設けることにより、ガラス管の内部は狭くなり、ガラス管内の電子は外周部に寄り密度が高くなる。この密度の高くなった電子がガラス管内の水銀原子と衝突することにより、紫外線の量が増え、蛍光物質を塗った表面にこの紫外線を照射する為発光が高められ消費電力も節約できる。
【発明を実施するための最良の形態】
【０００６】  この発明の一実施形態を、図１に示す。
蛍光管は、外側ガラス管８と、ガラス管内に設けた内部ガラス管９、管内のガラス管の蛍光物質１１、外側ガラス管の蛍光物質１０、管内に充てんされた水銀原子４、紫外線６、発光７、電子５、【０００７】「実施形態の効果」
この実施形態によれば、この蛍光管は外側ガラス管の管内に放電用ガスを封入して、この封入したガスと接触する表面、外側ガラス管は管の内壁面に蛍光物質を塗り、管内中心に設けたガラス管は、管の外壁面に蛍光物質を塗ることにより、蛍光物質を塗った表面を大きくすることができ、この両ガラス管の蛍光物質表面で紫外線を取り囲み、紫外線を多方向から照射を受ける為発光が高められる。さらに、外側ガラス管の管内中心にガラス管を設けることにより管内が狭くなり、電子は管の外周部分に寄り密度が高くなる。この密度の高くなった電子が水銀原子と衝突することにより、紫外線の量が増し、蛍光物質を塗った表面に紫外線が多く照射され、発光が高められる。
【図面の簡単な説明】
【０００８】
【図１】この発明の一実施形態を示す斜視図である。
【図２】従来技術を示す斜視図である。
【符号の説明】
【０００９】    １  ガラス管    ２  蛍光物質    ３  電極    ４  アルゴンガス内の水銀原子    ５  電子    ６  紫外線    ７  可視光